(57)【要約】【課題】  着信通知画像に注意を向けさせ、利用者に対して情報の着信をより確実に通知できる情報通信端末を提供する。【解決手段】  情報受信手段で情報を受信したときに、その情報の着信を通知するための着信通知画像を投影するとともに、画像を投影しないときの通常の着信音とは異なる画像投影時専用の着信音を出力するように、画像投影手段及び音出力手段を制御する。情報受信手段で情報を受信したときに、画像表示手段で表示する着信通知画像とは独立に設定可能な投影専用の着信通知画像を投影するように画像投影手段を制御してもよい。【選択図】  図１
2005094496.tif 000002
【特許請求の範囲】
【請求項１】
通信ネットワークを介して情報を受信する情報受信手段と、画像を表示する画像表示部を有する画像表示手段と、利用者が視認可能な外部投影面に画像を投影するための画像投影手段と、音を出力する音出力手段と、該画像表示手段、該画像投影手段及び該音出力手段を制御する制御手段とを備えた情報通信端末であって、
該制御手段は、該情報受信手段で情報を受信したときに、該情報の着信を通知するための着信通知画像を投影するとともに、該画像を投影しないときの通常の着信音とは異なる画像投影時専用の着信音を出力するように、該画像投影手段及び該音出力手段を制御することを特徴とする情報通信端末。
【請求項２】
通信ネットワークを介して情報を受信する情報受信手段と、利用者が視認可能な外部投影面に画像を投影するための画像投影手段と、該画像表示手段及び該画像投影手段を制御する制御手段とを備えた情報通信端末であって、
該制御手段は、該情報受信手段で情報を受信したときに、該画像表示手段で表示する着信通知画像とは独立に設定可能な投影専用の着信通知画像を投影するように該画像投影手段を制御することを特徴とする情報通信端末。
【請求項３】
請求項１又は２の情報通信端末において、
上記制御手段は、上記情報の受信の待ち状態のときには上記画像投影手段の動作を停止しておき、上記情報受信手段で情報を受信したときに該画像投影手段を起動して画像投影を開始するように制御することを特徴とする情報通信端末。
【発明の詳細な説明】
【技術分野】
【０００１】
本発明は、通信ネットワークを介して情報を受信可能な携帯電話機等の情報通信端末に関するものである。
【背景技術】
【０００２】
従来の情報通信端末としての携帯電話機では、メールや電話の着信情報を受信したときの着信通知は、音や振動が用いられていた。例えば、所定の発音パターンや特定のメロディからなる着信音を予め設定しておき、メール等を着信したときに、上記予め設定しておいた着信音を鳴らすことにより、携帯電話機の利用者にメール等の着信を知らせる。また、携帯電話機をマナーモードに設定した場合は、メール等を着信したときに、予め設定しておいた所定振動パターンで携帯電話機を振動させることにより、携帯電話機の利用者にメール等の着信を知らせる。
また、携帯電話機を用いたサービスとして、所定のタイミングで特定分野の情報を多数の携帯電話機に対して一斉に送信する情報提供サービスが知られている。この情報提供サービスで提供される情報の着信を通知する着信通知にも、上記音や振動が用いられていた。
【発明の開示】
【発明が解決しようとする課題】
【０００３】
上記従来の携帯電話機のようにメール等の着信通知に音や振動を用いる場合は、メール等を着信するたびに着信通知用の音や振動が発生し、会社のオフィス等の環境では騒音の原因となるおそれがあった。そこで、本出願人は、利用者が視認可能な外部投影面に着信通知画像を表示することができる携帯電話機（情報通信端末）を提案した（特願２００３−０７７８３１号参照）。この携帯電話機では、従来の着信通知用の音や振動を発生させることなく、利用者に対して情報の着信を通知することができる。また、着信通知画像を投影する投影面は、携帯電話機の画像表示面に比して一度に表示できる情報量が多いため、受信したメール本文等の情報も同時に投影して利用者に知らせることができる。
【０００４】
しかしながら、上記着信通知画像を投影する投影面を利用者が視認可能な位置に設定していたとしても、利用者の視野と投影面との位置関係によっては上記着信通知画像に気付かないおそれがあった。例えば、上記投影面が利用者の視野の周辺部に位置していたり視野から一時的に外れていたりしていると、上記着信通知画像に気付かないおそれがあった。このように着信通知画像に気付かず、利用者に対して情報の着信を確実に通知できない場合があるという問題点が残されていた。
【０００５】
本発明は以上の問題点に鑑みてなされたものである。その目的は、着信通知画像に注意を向けさせ、利用者に対して情報の着信をより確実に通知できる情報通信端末を提供することである。
【課題を解決するための手段】
【０００６】
上記目的を達成するために、請求項１の発明は、通信ネットワークを介して情報を受信する情報受信手段と、画像を表示する画像表示部を有する画像表示手段と、利用者が視認可能な外部投影面に画像を投影するための画像投影手段と、音を出力する音出力手段と、該画像表示手段、該画像投影手段及び該音出力手段を制御する制御手段とを備えた情報通信端末であって、該制御手段が、該情報受信手段で情報を受信したときに、該情報の着信を通知するための着信通知画像を投影するとともに、該画像を投影しないときの通常の着信音とは異なる画像投影時専用の着信音を出力するように、該画像投影手段及び該音出力手段を制御することを特徴とするものである。
また、請求項２の発明は、通信ネットワークを介して情報を受信する情報受信手段と、利用者が視認可能な外部投影面に画像を投影するための画像投影手段と、該画像表示手段及び該画像投影手段を制御する制御手段とを備えた情報通信端末であって、該制御手段は、該情報受信手段で情報を受信したときに、該画像表示手段で表示する着信通知画像とは独立に設定可能な投影専用の着信通知画像を投影するように該画像投影手段を制御することを特徴とするものである。
また、請求項３の発明は、請求項１又は２の情報通信端末において、上記制御手段が、上記情報の受信の待ち状態のときには上記画像投影手段の動作を停止しておき、上記情報受信手段で情報を受信したときに該画像投影手段を起動して画像投影を開始するように制御することを特徴とするものである。
【０００７】
請求項１の情報通信端末では、情報受信手段で情報を受信したときに、その情報の着信を通知するための着信通知画像を、利用者が視認可能な外部投影面に投影する。そして、この着信通知画像の投影とともに、画像を投影しないときの通常の着信音とは異なる画像投影時専用の着信音を出力する。この画像投影時専用の着信音により、着信通知画像が外部投影面に投影されていることを利用者に知らせて利用者の注意を着信通知画像に向けさせることができる。
従来の画像表示手段で表示する着信通知画像は、着信通知用の音や振動の補助的なものとして用いられ、その画像だけで着信通知の機能を発揮できるものではなかった。したがって、画像表示手段で表示する着信通知画像をそのまま外部投影面に投影しても、その画像だけで情報の着信を確実に通知できるものではなかった。
そこで、請求項２の情報通信端末では、情報受信手段で情報を受信したときに、その情報の着信を通知するための着信通知画像として投影専用の着信通知画像を投影する。この投影専用の着信通知画像は、画像表示手段で表示する着信通知画像とは独立に設定可能である。このため、画像表示手段で表示する着信通知画像における制約を受けることなく、利用者が視認しやすく注意を引きやすいように、投影専用の着信通知画像を設定することができる。この投影専用の着信通知画像を外部投影面に投影することにより、着信通知画像が外部投影面に投影されていることを利用者に知らせて利用者の注意を着信通知画像に向けさせることができる。
請求項３の情報通信端末では、上記情報の受信の待ち状態のときには画像投影手段の動作を停止しておくことにより、画像投影手段で無駄な電力を消費しないようにする。そして、情報受信手段で情報を受信したときには、画像投影手段を起動して画像投影を開始することにより、上記着信通知画像を外部投影面に確実に投影できる。
【０００８】
なお、上記「情報通信端末」には、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機が含まれる。また、「情報通信端末」には、ＰＨＳ（Personal Handyphone Service）、自動車電話等の電話機のほか、携帯電話モジュールを付加した情報通信端末や、固定電話機も含まれる。
また、上記情報通信端末における制御は、その情報通信端末内に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００９】
請求項１乃至３の発明によれば、画像投影時専用の着信音の出力又は投影専用の着信通知画像の投影により、着信通知画像が外部投影面に投影されていることを利用者に知らせて利用者の注意を着信通知画像に向けさせることができる。したがって、利用者に対して情報の着信をより確実に通知できるという効果がある。
特に、請求項３の発明によれば、情報の受信の待ち状態における画像投影手段による無駄な電力消費を防止することができるという効果がある。
【発明を実施するための最良の形態】
【００１０】
以下、本発明の実施の形態を図面を参照しながら説明する。
図２は、本発明の実施形態に係る情報通信端末としての携帯電話機の概略構成の一例を示すブロック図である。この携帯電話機の本体部分１００は、制御手段としての制御部１１１、内部メモリ１１２、情報受信手段としての無線通信部１１３及びアンテナ１１４を備えている。また、制御部１１１には、音声処理部１１５を介してマイク１１６及びスピーカ１１７が接続され、画像処理部１１８を介して画像表示部１１９が接続され、更にキー操作部１２０が接続されている。
また、本実施形態の携帯電話機は、利用者が視認可能な外部投影面（以下、単に「投影面」という）２００に画像を投影するための画像投影手段としての画像投影部１３０を備えている。この画像投影部１３０については後述する。
【００１１】
上記制御部１１１は例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。また、この制御部１１１は、更に、制御手段１１１は、後述の画像投影部１３０への画像投影を制御する制御手段としても用いられる。
【００１２】
上記内部メモリ１１２は例えばＲＡＭやＲＯＭなどの半導体メモリで構成され、制御部１１１で実行する制御プログラムや各種データを記憶するものである。また、この内部メモリ１１２は、情報提供サイトなどからダウンロードした画像、音楽、プログラム等のコンテンツデータを記憶するコンテンツデータ記憶手段としても用いられる。更に、この内部メモリ１１２は、スピーカ１１７から出力する音のデータ、画像表示部１１９に表示する画像データ及び画像投影部１３０で投影する画像のデータを記憶するデータ記憶手段としても用いられる。
【００１３】
上記無線通信部１１４は制御部１１１で制御され、アンテナ１１４を介して、所定の通信方式により通信ネットワークとしての携帯電話通信網の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。
【００１４】
上記音声処理部１１５は、マイクロフォン１１６から入力された送話音声信号を所定方式で符号化して制御部１１１に送る。また、この音声処理部１１５は、無線通信部１１３で受信した受話音声信号を復号化してスピーカ１１７から出力する。更に、この音声処理部１１５は、内部メモリ１１２に記憶されている着信メロディやアプリケーションプログラムで用いる効果音等の音信号をスピーカ１１７から出力する。音を出力する音出力手段は、音声処理部１１５及びスピーカ１１７を用いて構成されている。
【００１５】
上記画像処理部１１８は、無線通信部１１３で受信した画像データや、内部メモリ１１２に記憶されているアイコンやメニュー、着信通知画像等の画像データを処理し、液晶ディスプレイ（ＬＣＤ）等からなる画像表示部１１９に表示させる。画像表示手段は、画像処理部１１８及び画像表示部１１９を用いて構成されている。
【００１６】
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
【００１７】
図３は、上記画像投影部１３０の一構成例を示すブロック図である。この画像投影部１３０はビーム光源１３１と光学スキャナー１３２とそれらを駆動するための駆動制御部１３３とを用いて構成されている。ビーム光源１３１としては、ＬＤ（半導体レーザ）やＬＥＤ（発光ダイオード）等を用いることができる。ビーム光源１３１から出射されるビーム光の強度は、制御部１１１から送られてきた制御データに基づいて駆動制御部１３３により制御される。光学スキャナー１３２は、ビーム光源１３１から発したビーム光を２次元的に走査しながら投影面２００に投射する光学装置である。光学スキャナー１３２によるビーム光の走査は、ビーム光源１３１と同様に駆動制御部１３３により駆動制御される。この光学スキャナー１３２としては、例えば小型で高速走査が可能なガルバノミラーを用いたものを使用することができる。また、上記駆動制御部１３３は、画像データを記憶する画像メモリを有し、予め設定登録された投影対象の画像データや、制御部１１１から制御データとともに送られてきた投影対象の画像データが記憶される。この画像メモリに記憶されている画像データに基づいて、上記ビーム光源１３１及び光学スキャナー１３２が駆動制御される。
上記ビーム光源１３１として互いに波長が異なる複数種類のビーム光（例えば３原色ビーム光）を出射可能なものを用い、各ビーム光を同時に走査して投射すれば、カラー画像を投影面２００上に投影することができる。
また、上記ビーム光源１３１として、互いに独立に強度制御可能な発光点が１列状に並んだ１次元アレイ素子からなる光源を用いることもできる。この場合は、光源から出射されたライン状の光を光学スキャナー１３２で１次元的に走査すればよい。
また、上記ビーム光源１３１として、互いに独立に強度制御可能な発光点が２次元的に並んだ２次元アレイ素子からなる光源を用いることもできる。この場合は、光学スキャナー１３２の代わりに、光源上に表示された２次元的な画像を拡大して投影面２００上に投影する拡大投影光学系を用いる。
【００１８】
図４は、上記画像投影部１３０の他の構成例を示すブロック図である。この画像投影部１３０は、ランプ等の光源１３４と、空間光変調器１３５と、拡大投影光学系１３６と、駆動制御部１３３とを用いて構成されている。
空間光変調器１３５としては、例えば通常の携帯電話機等で使用されている液晶ディスプレイを用いることができる。この場合は、透過型の液晶ディスプレイでの表示モードとは反対に画像を白黒反転させて表示する。このように白黒反転して表示した液晶ディスプレイの表面に光源１３４からの光を照射し、その反射像を拡大投影光学系１３６で拡大して投影面２００上に投影する。なお、この液晶ディスプレイとしては、通常の携帯電話機等で設けられている液晶ディスプレイを兼用してもよい。
また、空間光変調器１３５としては、互いに独立に傾きを制御可能な小型のミラーを２次元的に並べたものを使用することもできる。この場合は、画像データに基づいて、各ミラーの傾きを制御し、各ミラーから投影面２００側へ向かう光の反射光をオン／オフする。この空間光変調器１３５からの反射像は、拡大投影光学系１３６で拡大して投影面２００上に投影される。
【００１９】
また、上記画像投影部１３０の構成は図３や図４の構成に限定されるものではない。例えば、ホログラム素子を用いて投影するような構成であってもよい。
また、上記画像の投影は広角で行うように構成してもよい。例えば、部屋の内壁面全体を投影面にみたてて画像を広角的に投影するようにしてもよい。この場合は、例えばプラネタリウムのごとく部屋全体に星空がきらめく天空の画像を投影するように、今までにない趣向を凝らした着信通知が可能になる。
【００２０】
図５は、上記画像投影部１３０を備えた折り畳み式の携帯電話機１００で画像を投影している様子を示した説明図である。この携帯電話機１００は、待ち受け状態で、画像投影部１３０の光出射口を所望の投影面２００に向けて机の上に置いたり、携帯電話機用の充電器にセットしたりしておく。また、利用者は、キー操作部１２０を操作することにより、画像投影を行わない通常の画像表示モード及び画像投影を行う画像投影モードのいずれかに設定しておく。
【００２１】
図６及び図７は、携帯電話機から投影面に投影される投影専用の画像の例を示した説明図である。
画像投影モードに設定された携帯電話機の待ち受け状態では、予め設定しておいた待ち受け画像が、投影面２００上に投影される。そして、電話やメール等を着信したときに図６（ａ）のような着信通知画像が表示される。また、利用者が電話を受けたりメールを閲覧したりする操作をしなかったときは、それらの新規着信のリストである図６（ｂ）のような着信通知画像としての着信履歴情報の画像を表示がされる。また、携帯電話通信網上のサーバーから無線通信回線を介して情報を送信する情報提供サービスを受けていた場合は、新着情報を着信したときに新着情報の着信通知画像が表示される。また、利用者が新着情報を閲覧する操作をしなかったときは、図６（ｃ）のような新着情報がリストアップされた着信通知画像が表示される。
【００２２】
また、上記投影面２００上に投影する着信通知画像は、投影専用の着信通知画像である。この投影専用の着信画像は、画像表示部１９９に表示する通常の着信通知画像とは独立に設定可能である。このため、画像表示手段で表示する着信通知画像における制約を受けることなく、利用者が視認しやすく注意を引きやすいように、投影専用の着信通知画像を設定することができる。例えば、図７（ａ）に示すように文字情報（「お誕生日おめでとう」）を左右方向にスクロール移動させて利用者の注意を引きやすいように処理した画像部分を着信通知画像に含ませる。また、図７（ｂ）に示すように点滅させて利用者の注意を引きやすいように処理した画像部分を着信通知画像に含ませてもよい。また、図７（ｃ）に示すように着信履歴情報を含む着信通知画像の場合は、各受信情報の項目毎に画像の濃淡や色彩を異ならせて利用者の注意を引きやすいように投影する。また、着信履歴情報を含む着信通知画像の場合は、直前に受信した情報の項目の画像部分（例えば図７（ｃ）の「○○くん：ＴＥＬ着信」）についてのみスクロール移動させたり点滅させたりすることにより目立ちやすくして直近の着信である旨を利用者に知らせるようにしてもよい。
【００２３】
また、上記着信通知画像は、電話やメールの送信元によって異なる画像を投影するようにしてもよい。この場合は、メール又は電話の送信元の情報を記憶しておく送信元情報記憶手段として上記内部メモリ１１２を用いる。そして、無線通信部１１４で受信した着信情報に基づいて、内部メモリ１１２から該当する送信元の情報を読み出し、その送信元の情報を上記着信通知画像に含めるように制御する。以上のように送信元の情報を上記着信通知画像に含めることにより、投影面２００に投影された着信通知の画像を見ただけで、電話やメールの送信元が誰であるかを即座に判断することができる。
【００２４】
図１は、本実施形態に係る携帯電話機における情報を受信したときの着信処理の流れを示すフローチャートである。携帯電話機がメールなどの情報を受信すると、制御部１１は、画像を投影する画像投影モードが選択されているか否かを判断する（ステップ１、２）。ここで、画像投影モードが選択されている場合は、上記投影専用の着信通知画像を投影面２００に投影するとともに、通常の着信音とは異なる画像投影時専用の着信音を出力する（ステップ３、４）。一方、画像投影モードが選択されていない場合は、通常の着信通知画像を液晶ディスプレイ等の画像表示部１１９に表示投影するとともに、通常の着信音を出力する（ステップ５、６）。
【００２５】
図８は、画像投影モードが選択されている場合に新規メールを着信したときの着信通知画像を投影する処理の流れの一例を示すシーケンス図である。
まず、利用者によって画像投影を行う画像投影モードが選択された状態でメール着信可能な待受け動作が制御部１１１で実行されると、制御部１１１から画像投影部１３０の駆動制御部１３３に待受画像投影用制御データが送られる。この待受画像投影用制御データに基づいて、予め設定されている待受画像の投影が開始される。
この待受け状態で、携帯電話機１００の無線通信部１１３が携帯電話通信網を介してメールを着信すると、そのメールデータが制御部１１１に送られる。制御部１１１では所定の制御プログラムにしたがってメール受信のデータ処理が実行される。そして、制御部１１１から画像投影部１３０に対してメール用の着信通知画像投影用制御データが送られるとともに、制御部１１１から音声処理部１１５に対して着信音出力用制御データが送られる。画像投影部１３０では、上記着信通知画像投影用制御データに基づいて、上記待受画像の投影が停止されるとともに、図６（ａ）及び図７（ａ）、（ｂ）に示すような投影専用の着信通知画像の投影が開始される。また、音声処理部１１５では、上記着信音出力用制御データに基づいて画像投影時専用の着信音を一定時間だけ出力する。この画像投影時専用の着信音及び投影面２００に投影されている投影専用の着信通知画像により、着信通知画像が投影面２００に投影されていることを利用者に知らせて利用者の注意を着信通知画像に向けさせることができる。そして、投影面２００上の着信通知画像を見た利用者は、メール着信を視覚で確認することができる。
次に、上記着信通知画像の投影が開始された後、所定時間経過すると、制御部１１１から画像投影部１３０に着信通知停止用制御データが送られ、着信通知画像の投影が停止される。そして、制御部１１１から画像投影部１３０に着信履歴画像投影用制御データが送られ、図６（ｂ）や図７（ｃ）に示すような着信履歴画像の投影が開始される。この着信履歴画像が所定の投影面に投影されることにより、利用者はメール等着信履歴を視覚で確認することができる。
【００２６】
図９は、画像投影モードが選択されている場合に電話を着信したときの着信通知画像を投影する処理の流れの一例を示すシーケンス図である。なお、この例では、電話の着信に対して利用者が応答しない場合について示している。
まず、前述のような待受け状態で、携帯電話機１００の無線通信部１１３が携帯電話通信網を介して電話を着信すると、その着信情報が制御部１１１に送られる。着信情報を受けた制御部１１１は、画像投影部１３０に対して電話用の着信通知画像投影用制御データを送るとともに、音声処理部１１５に対して着信音出力用制御データを送る。画像投影部１３０では、上記着信通知画像投影用制御データに基づいて、上記待受画像の投影が停止されるとともに、投影専用の電話着信通知画像の投影が開始される。また、音声処理部１１５では、上記着信音出力用制御データに基づいて画像投影時専用の着信音を一定時間だけ出力する。この画像投影時専用の着信音及び投影面２００に投影されている投影専用の電話着信通知画像により、着信通知画像が投影面２００に投影されていることを利用者に知らせて利用者の注意を着信通知画像に向けさせることができる。そして、投影面２００上の着信通知画像を見た利用者は、メール着信を視覚で確認することができる。
次に、上記着信通知画像の投影が開始された後、利用者が応答しない状態で無線通信部１１３が回線切断の信号を受信すると、その回線切断情報が制御部１１１に送られる。そして、回線切断情報を受けた制御部１１１から画像投影部１３０に着信通知停止用制御データが送られ、着信通知画像の投影が停止される。そして、制御部１１１から画像投影部１３０に着信履歴画像投影用制御データが送られ、図６（ｂ）や図７（ｃ）に示すような着信履歴画像の投影が開始される。この着信履歴画像が所定の投影面に投影されることにより、利用者は電話等着信履歴を視覚で確認することができる。
【００２７】
図１０は、画像投影モードが選択されている場合に携帯電話通信網を介して情報提供システムから新規の情報を着信したときに着信通知画像を投影する処理の流れの一例を示すシーケンス図である。
まず、前述のように待受け動作モードが実行されている状態で、携帯電話機１００の無線通信部１１３が携帯電話通信網を介して新規情報を着信すると、その新規情報データが制御部１１１に送られる。制御部１１１では所定の制御プログラムにしたがって新規情報受信のデータ処理が実行される。そして、制御部１１１から画像投影部１３０に対して新着情報用の着信通知画像投影用制御データが送られるとともに、制御部１１１から音声処理部１１５に対して着信音出力用制御データが送られる。画像投影部１３０では、上記着信通知画像投影用制御データに基づいて、上記待受画像の投影が停止されるとともに、投影専用の着信通知画像の投影が開始される。また、音声処理部１１５では、上記着信音出力用制御データに基づいて画像投影時専用の着信音を一定時間だけ出力する。この画像投影時専用の着信音及び投影面２００に投影されている投影専用の着信通知画像により、着信通知画像が投影面２００に投影されていることを利用者に知らせて利用者の注意を着信通知画像に向けさせることができる。そして、投影面２００上の着信通知画像を見た利用者は、利用者は新規情報の着信を視覚で確認することができる。
次に、上記新着情報画像の投影が開始された後、所定時間経過すると、制御部１１１から画像投影部１３０に着信通知停止用制御データが送られ、新着情報画像の投影が停止される。そして、制御部１１１から画像投影部１３０に新着情報画像投影用制御データが送られ、図６（ｃ）に示すような新着情報リスト画像の投影が開始される。この新着情報リスト画像が所定の投影面に投影されることにより、利用者は新着情報のリストを視覚で確認することができる。
【００２８】
以上、本実施形態によれば、画像投影時専用の着信音の出力又は投影専用の着信通知画像の投影により、着信通知画像が投影面に投影されていることを利用者に知らせて利用者の注意を着信通知画像に向けさせることができる。したがって、利用者に対して情報の着信をより確実に通知できる。
【００２９】
なお、上記実施形態において、上記メールなどの情報の受信の待ち状態のときには画像投影部１３０の動作を停止しておき、情報を受信したときに画像投影部１３０を起動して画像投影を開始するように制御してもよい。この場合は、上記情報の受信の待ち状態のときには画像投影部１３０の動作を停止しておくことにより、画像投影部１３０で無駄な電力を消費しないようにする。したがって、情報の受信の待ち状態における画像投影部１３０による無駄な電力消費を防止し、画像の投影による携帯電話機１００内の電池の消耗を防止できる。しかも、メール等の情報を受信したときには、画像投影部１３０を起動して画像投影を開始することにより、上記着信通知画像を投影面２００に確実に投影できる。
ここで、上記画像投影部１３０の起動は情報着信時に必ず実行するようにしてもいいし、情報着信時に画像投影部１３０を自動起動するか否かを、利用者が設定した環境設定の内容に応じて切り換えるように制御してもよい。
【００３０】
また、上記実施形態において、着信通知画像（着信履歴画像及び新着情報画像を含む）は、携帯電話機に内蔵している図示しない電池を充電しているときにのみ投影可能にするように制御してもよい。この場合は、電池を充電しているか否かを検知する充電有無検知手段としての充電検知回路を携帯電話機内に設ける。この充電検知検知回路は、例えば、外部の充電装置から外部接続用インターフェースを介して供給されている充電電流をモニターし、その充電電流の有無によって電池を充電しているか否かを検知する。そして、この充電検知回路で電池の充電を検知している場合にのみ上記着信通知画像等の投影が可能になるように制御部１１１で制御する。このように電池を充電しているときにのみ画像の投影を可能にすることにより、画像の投影による携帯電話機１００内の電池の消耗を防止できる。
【００３１】
また、上記実施形態の携帯電話機１００は、プラットフォームに依存しないオブジェクト指向プログラミングによって開発されたアプリケーションプログラムを実行可能に構成してもよい。そして、上記画像投影部１３０の起動やその画像投影部１３０による着信通知画像の投影動作を、アプリケーションプログラムからの指令に基づいて実行するようにしてもよい。上記アプリケーションプログラムとしては、ＪＡＶＡ（登録商標）、Ｃ言語、ＢＲＥＷ（登録商標）等で記述されたアプリケーションプログラムが挙げられる。このアプリケーションプログラムは、携帯電話機１００にプレインストールされているものであってもいいし、通信ネットワークとしての携帯電話通信網を介してダウンロードサーバからダウンロードし携帯電話機１００に保存して登録したものでもよい。
【００３２】
図１１は、アプリケーションプログラムを実行可能な携帯電話機の概略構成の一例を示すブロック図であり、図１２は、その携帯電話機におけるソフトウェア構造の一例を示す説明図である。この携帯電話機は、前述の制御部１１１等のほか、アプリケーションプログラム実行手段としてのアプリケーションプログラム実行管理部１５０を備えている。このアプリケーションプログラム実行管理部１５０は、システムバス、ＣＰＵやＲＡＭ等で構成され、アプリケーションプログラムを実行するための所定のミドルウェアにしたがって動作する。アプリケーションプログラム実行管理部１５０は、図１２のソフトウェア構造上において中央の「プログラム実行環境」に対応しており、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。
ここで、アプリケーションプログラムは、クラスライブラリＡＰＩ（アプリケーションインターフェース）を介して上記プログラム実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで保持される。また、プログラム実行環境内の実行環境管理ライブラリは、電話機プラットフォームＡＰＩを介して後述の電話機プラットフォーム内の電話機プラットフォームライブラリを呼び出して使用できるようになっている。
上記画像投影の制御は、アプリケーションプログラム実行管理部１５０から制御部１１１を介して画像投影部１３０に制御指令を送ることによって実行する。なお、図１１中の破線で示すようにアプリケーションプログラム実行管理部１５０から画像投影部１３０に制御指令を直接送ることによって実行するように構成してもよい。
【００３３】
図１３は、新規メールを着信したときの画像投影部１３０による着信通知画像の投影動作を、実行中の待ち受け用アプリケーションプログラムからの指令に基づいて実行するときの処理の流れの一例を示すシーケンス図である。
この例では、利用者によって画像投影を行う画像投影モードが選択された状態で、待受け用アプリケーションプログラムが実行されている。この待受け状態で、携帯電話機１００の無線通信部１１３が携帯電話通信網を介してメールを着信すると、そのメールデータが制御部１１１に送られる。制御部１１１では所定の制御プログラムにしたがってメール受信のデータ処理が実行される。そして、制御部１１１からアプリケーションプログラム実行管理部１５０で管理されているアプリケーションプログラム実行環境に対してメールの着信情報が送られる。アプリケーションプログラムは、アプリケーションプログラム実行環境に対し、着信情報に基づいて画像投影起動要求指令及び着信音出力要求指令のための所定の関数の呼び出しを行う。この関数の呼び出しを受けたアプリケーションプログラム実行環境は、制御部１１１に対し、画像投影起動要求指令及び着信音出力要求指令を送る。
これらの画像投影起動要求指令及び着信音出力要求指令を受けた制御部１１１は、画像投影部１３０に対して起動要求指令及び着信通知画像投影用制御データを送るとともに、音声処理部１１５に対して着信音出力用制御データを送る。
画像投影部１３０は、上記起動要求指令に応じて起動し、上記着信通知画像投影用制御データに基づいて投影専用の着信通知画像の投影を開始する。また、音声処理部１１５は、上記着信音出力用制御データに基づいて画像投影時専用の着信音を一定時間だけ出力する。この画像投影時専用の着信音及び投影面２００に投影されている投影専用の着信通知画像により、着信通知画像が投影面２００に投影されていることを利用者に知らせて利用者の注意を着信通知画像に向けさせることができる。そして、投影面２００上の着信通知画像を見た利用者は、メール着信を視覚で確認することができる。
【００３４】
図１４は、電話を着信したときの画像投影部１３０による着信通知画像の投影動作を、実行中の待ち受け用アプリケーションプログラムからの指令に基づいて実行するときの処理の流れの一例を示すシーケンス図である。
まず、前述のような待ち受けアプリケーションプログラムの実行している待受け状態で、携帯電話機１００の無線通信部１１３が携帯電話通信網を介して電話を着信すると、その着信情報が制御部１１１に送られる。着信情報を受けた制御部１１１は、アプリケーションプログラム実行管理部１５０で管理されているアプリケーションプログラム実行環境に対して着信情報を送る。アプリケーションプログラムは、アプリケーションプログラム実行環境に対し、着信情報に基づいて画像投影起動要求指令及び着信音出力要求指令のための所定の関数の呼び出しを行う。この関数の呼び出しを受けたアプリケーションプログラム実行環境は、制御部１１１に対し、画像投影起動要求指令及び着信音出力要求指令を送る。
これらの画像投影起動要求指令及び着信音出力要求指令を受けた制御部１１１は、画像投影部１３０に対して起動要求指令及び着信通知画像投影用制御データを送るとともに、音声処理部１１５に対して着信音出力用制御データを送る。
画像投影部１３０は、上記起動要求指令に応じて起動し、上記着信通知画像投影用制御データに基づいて投影専用の着信通知画像の投影を開始する。また、音声処理部１１５は、上記着信音出力用制御データに基づいて画像投影時専用の着信音を一定時間だけ出力する。この画像投影時専用の着信音及び投影面２００に投影されている投影専用の着信通知画像により、着信通知画像が投影面２００に投影されていることを利用者に知らせて利用者の注意を着信通知画像に向けさせることができる。そして、投影面２００上の着信通知画像を見た利用者は、電話着信を視覚で確認することができる。
【００３５】
なお、図１３及び１４の例では、画像投影部１３０の起動及び着信通知画像の投影動作を、待ち受け用アプリケーションプログラムからの指令に基づいて実行しているが、他のアプリケーションプログラムからの指令に基づいて実行してもよい。例えば、プロジェクタ機能の制御に特化したアプリケーションプログラムの実行中に、メールや電話の着信があったときに、そのアプリケーションプログラムからの指令に基づいて、画像投影部１３０の起動及び着信通知画像の投影動作を実行するようにしてもよい。
【００３６】
また、上記各実施形態において、画像投影部１３０に投影する画像のコンテンツデータには投影専用か否かを識別するための識別子を付加するようにしてもよい。そして、この画像のコンテンツデータに付加されている識別子のデータを解析し、その解析結果に基づいて、その画像を画像投影部１３０で投影するか否か等の制御を行うようにしてもよい。
【図面の簡単な説明】
【００３７】
【図１】本発明の実施形態に係る携帯電話機における情報を受信したときの着信処理の流れを示すフローチャート。
【図２】本発明の実施形態に係る携帯電話機の概略構成の一例を示すブロック図。
【図３】同携帯電話機の画像投影部の一構成例を示すブロック図。
【図４】同画像投影部の他の構成例を示すブロック図。
【図５】同画像投影部を備えた携帯電話機で画像を投影している様子を示した説明図。
【図６】（ａ）〜（ｃ）は画像投影部で投影する画像の説明図。
【図７】（ａ）〜（ｃ）は画像投影部で投影する他の画像の説明図。
【図８】新規メールを着信したときに新着通知画像を投影する処理の流れの一例を示すシーケンス図。
【図９】電話を着信したときに新着通知画像を投影する処理の流れの一例を示すシーケンス図。
【図１０】携帯電話通信網を介して情報提供システムから新規の情報を着信したときに新着通知画像を投影する処理の流れの一例を示すシーケンス図。
【図１１】他の実施形態に係る携帯電話機の概略構成の一例を示すブロック図。
【図１２】同携帯電話機におけるソフトウェア構造の一例を示す説明図。
【図１３】同携帯電話機において新規メールを着信したときに新着通知画像を投影する処理の流れの一例を示すシーケンス図。
【図１４】同携帯電話機において電話を着信したときに新着通知画像を投影する処理の流れの一例を示すシーケンス図。
【符号の説明】
【００３８】
１００  携帯電話機
１１１  制御部
１１３  無線通信部
１３０  画像投影部
２００  投影面
【図１】
2005094496.tif 000003
【図２】
2005094496.tif 000004
【図３】
2005094496.tif 000005
【図４】
2005094496.tif 000006
【図５】
2005094496.tif 000007
【図６】
2005094496.tif 000008
【図７】
2005094496.tif 000009
【図８】
2005094496.tif 000010
【図９】
2005094496.tif 000011
【図１０】
2005094496.tif 000012
【図１１】
2005094496.tif 000013
【図１２】
2005094496.tif 000014
【図１３】
2005094496.tif 000015
【図１４】
2005094496.tif 000016
【手続補正書】
【提出日】平成15年11月14日(2003.11.14)
【手続補正１】
【補正対象書類名】特許請求の範囲
【補正対象項目名】全文
【補正方法】変更
【補正の内容】
【特許請求の範囲】
【請求項１】
通信ネットワークを介して情報を受信する情報受信手段と、画像を表示する画像表示部を有する画像表示手段と、利用者が視認可能な外部投影面に画像を投影するための画像投影手段と、音を出力する音出力手段と、該画像表示手段、該画像投影手段及び該音出力手段を制御する制御手段とを備えた情報通信端末であって、
該制御手段は、該情報受信手段で情報を受信したときに、該情報の着信を通知するための着信通知画像を投影するとともに、該画像を投影しないときの通常の着信音とは異なる画像投影時専用の着信音を出力するように、該画像投影手段及び該音出力手段を制御することを特徴とする情報通信端末。
【請求項２】
通信ネットワークを介して情報を受信する情報受信手段と、画像を表示する画像表示部を有する画像表示手段と、利用者が視認可能な外部投影面に画像を投影するための画像投影手段と、該画像表示手段及び該画像投影手段を制御する制御手段とを備えた情報通信端末であって、
該制御手段は、該情報受信手段で情報を受信したときに、該画像表示手段で表示する着信通知画像とは独立に設定可能な投影専用の着信通知画像を投影するように該画像投影手段を制御することを特徴とする情報通信端末。
【請求項３】
請求項１又は２の情報通信端末において、
上記制御手段は、上記情報の受信の待ち状態のときには上記画像投影手段の動作を停止しておき、上記情報受信手段で情報を受信したときに該画像投影手段を起動して画像投影を開始するように制御することを特徴とする情報通信端末。
【手続補正２】
【補正対象書類名】明細書
【補正対象項目名】０００６
【補正方法】変更
【補正の内容】
【０００６】
上記目的を達成するために、請求項１の発明は、通信ネットワークを介して情報を受信する情報受信手段と、画像を表示する画像表示部を有する画像表示手段と、利用者が視認可能な外部投影面に画像を投影するための画像投影手段と、音を出力する音出力手段と、該画像表示手段、該画像投影手段及び該音出力手段を制御する制御手段とを備えた情報通信端末であって、該制御手段が、該情報受信手段で情報を受信したときに、該情報の着信を通知するための着信通知画像を投影するとともに、該画像を投影しないときの通常の着信音とは異なる画像投影時専用の着信音を出力するように、該画像投影手段及び該音出力手段を制御することを特徴とするものである。
また、請求項２の発明は、通信ネットワークを介して情報を受信する情報受信手段と、画像を表示する画像表示部を有する画像表示手段と、利用者が視認可能な外部投影面に画像を投影するための画像投影手段と、該画像表示手段及び該画像投影手段を制御する制御手段とを備えた情報通信端末であって、該制御手段は、該情報受信手段で情報を受信したときに、該画像表示手段で表示する着信通知画像とは独立に設定可能な投影専用の着信通知画像を投影するように該画像投影手段を制御することを特徴とするものである。
また、請求項３の発明は、請求項１又は２の情報通信端末において、上記制御手段が、上記情報の受信の待ち状態のときには上記画像投影手段の動作を停止しておき、上記情報受信手段で情報を受信したときに該画像投影手段を起動して画像投影を開始するように制御することを特徴とするものである。
【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
画像を表示する画像表示手段と、外部投影面に画像を投影するための画像投影手段と、該画像投影手段を制御する制御手段とを備えた情報通信端末であって、
該画像投影手段で投影する画像のデータを記憶するデータ記憶手段を備え、
該制御手段は、画像投影時に、該データ記憶手段に記憶されている該画像のデータに基づき、該画像表示手段で表示する着信通知画像とは独立に設定可能な投影専用画像を投影するように、該画像投影手段を制御することを特徴とする情報通信端末。
【請求項２】
請求項１の情報通信端末において、
通信ネットワークを介して情報を受信する情報受信手段と、音を出力する音出力手段とを備え、
上記制御手段は、該情報受信手段で情報を受信したときに、該情報の着信を通知するための着信通知画像を投影するとともに、該画像を投影しないときの通常の着信音とは異なる画像投影時専用の着信音を出力するように、上記画像投影手段及び該音出力手段を制御することを特徴とする情報通信端末。
【請求項３】
請求項１の情報通信端末において、
通信ネットワークを介して情報を受信する情報受信手段を備え、
上記制御手段は、該情報受信手段で情報を受信したときに、上記投影専用画像を投影するように、上記画像投影手段を制御することを特徴とする情報通信端末。
【請求項４】
請求項２又は３の情報通信端末において、
上記制御手段は、上記情報の受信の待ち状態のときには上記画像投影手段の動作を停止しておき、上記情報受信手段で情報を受信したときに該画像投影手段を起動して画像投影を開始するように制御することを特徴とする情報通信端末。
【請求項５】
請求項１、２、３又は４の情報通信端末において、
アプリケーションプログラムの実行環境を管理するアプリケーション実行管理手段を備え、
上記制御手段は、該アプリケーション実行管理手段から起動要求指令を受けたときに上記画像投影手段を起動して画像投影を開始するように制御することを特徴とする情報通信端末。
【手続補正２】
【補正対象書類名】明細書
【補正対象項目名】０００１
【補正方法】変更
【補正の内容】
【０００１】
本発明は、携帯電話機等の情報通信端末に関するものである。
【手続補正３】
【補正対象書類名】明細書
【補正対象項目名】０００５
【補正方法】変更
【補正の内容】
【０００５】
本発明は以上の問題点に鑑みてなされたものである。その目的は、情報の着信の通知等を確実にできるように、画像表示手段で表示する画像における制約を受けることなく、利用者が視認しやすく注意を引きやすい投影専用の画像を投影可能な情報通信端末を提供することである。
【手続補正４】
【補正対象書類名】明細書
【補正対象項目名】０００６
【補正方法】変更
【補正の内容】
【０００６】
上記目的を達成するために、請求項１の発明は、画像を表示する画像表示手段と、外部投影面に画像を投影するための画像投影手段と、該画像投影手段を制御する制御手段とを備えた情報通信端末であって、該画像投影手段で投影する画像のデータを記憶するデータ記憶手段を備え、該制御手段は、画像投影時に、該データ記憶手段に記憶されている該画像のデータに基づき、該画像表示手段で表示する着信通知画像とは独立に設定可能な投影専用画像を投影するように、該画像投影手段を制御することを特徴とするものである。
また、請求項２の発明は、請求項１の情報通信端末において、通信ネットワークを介して情報を受信する情報受信手段と、音を出力する音出力手段とを備え、上記制御手段は、該情報受信手段で情報を受信したときに、該情報の着信を通知するための着信通知画像を投影するとともに、該画像を投影しないときの通常の着信音とは異なる画像投影時専用の着信音を出力するように、上記画像投影手段及び該音出力手段を制御することを特徴とするものである。
また、請求項３の発明は、請求項１の情報通信端末において、通信ネットワークを介して情報を受信する情報受信手段を備え、上記制御手段は、該情報受信手段で情報を受信したときに、上記投影専用画像を投影するように、上記画像投影手段を制御することを特徴とするものである。
また、請求項４の発明は、請求項２又は３の情報通信端末において、上記制御手段が、上記情報の受信の待ち状態のときには上記画像投影手段の動作を停止しておき、上記情報受信手段で情報を受信したときに該画像投影手段を起動して画像投影を開始するように制御することを特徴とするものである。
また、請求項５の発明は、請求項１、２、３又は４の情報通信端末において、アプリケーションプログラムの実行環境を管理するアプリケーション実行管理手段を備え、上記制御手段は、該アプリケーション実行管理手段から起動要求指令を受けたときに上記画像投影手段を起動して画像投影を開始するように制御することを特徴とするものである。
【手続補正５】
【補正対象書類名】明細書
【補正対象項目名】０００７
【補正方法】変更
【補正の内容】
【０００７】
請求項１乃至５の情報通信端末では、画像投影時に、データ記憶手段に記憶されている画像のデータに基づいて画像を投影する。この投影する画像は、画像表示手段で表示する着信通知画像とは独立に設定することできるため、画像表示手段で表示する画像における制約を受けることなく、利用者が視認しやすく注意を引きやすい投影専用の画像とすることができる。
特に、請求項２の情報通信端末では、情報受信手段で情報を受信したときに、その情報の着信を通知するための着信通知画像を、利用者が視認可能な外部投影面に投影する。そして、この着信通知画像の投影とともに、画像を投影しないときの通常の着信音とは異なる画像投影時専用の着信音を出力する。この画像投影時専用の着信音により、着信通知画像が外部投影面に投影されていることを利用者に知らせて利用者の注意を着信通知画像に向けさせることができる。
従来の画像表示手段で表示する着信通知画像は、着信通知用の音や振動の補助的なものとして用いられ、その画像だけで着信通知の機能を発揮できるものではなかった。したがって、画像表示手段で表示する着信通知画像をそのまま外部投影面に投影しても、その画像だけで情報の着信を確実に通知できるものではなかった。
そこで、特に、請求項３の情報通信端末では、情報受信手段で情報を受信したときに、その情報の着信を通知するための着信通知画像として投影専用の着信通知画像を投影する。この投影専用の着信通知画像は、画像表示手段で表示する着信通知画像とは独立に設定可能である。このため、画像表示手段で表示する着信通知画像における制約を受けることなく、利用者が視認しやすく注意を引きやすいように、投影専用の着信通知画像を設定することができる。この投影専用の着信通知画像を外部投影面に投影することにより、着信通知画像が外部投影面に投影されていることを利用者に知らせて利用者の注意を着信通知画像に向けさせることができる。
特に、請求項４の情報通信端末では、上記情報の受信の待ち状態のときには画像投影手段の動作を停止しておくことにより、画像投影手段で無駄な電力を消費しないようにする。そして、情報受信手段で情報を受信したときには、画像投影手段を起動して画像投影を開始することにより、上記着信通知画像を外部投影面に確実に投影できる。
【手続補正６】
【補正対象書類名】明細書
【補正対象項目名】０００８
【補正方法】変更
【補正の内容】
【０００８】
なお、上記「情報通信端末」には、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機が含まれる。また、「情報通信端末」には、ＰＨＳ（Personal Handyphone System）、自動車電話等の電話機のほか、携帯電話モジュールを付加した情報通信端末や、固定電話機も含まれる。
また、上記情報通信端末における制御は、その情報通信端末内に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【手続補正７】
【補正対象書類名】明細書
【補正対象項目名】０００９
【補正方法】変更
【補正の内容】
【０００９】
請求項１乃至５の発明によれば、情報の着信の通知等を確実にできるように、画像表示手段で表示する画像における制約を受けることなく、利用者が視認しやすく注意を引きやすい投影専用の画像を投影することができるという効果がある。
特に、請求項２の発明によれば、画像投影時専用の着信音の出力により、着信通知画像が外部投影面に投影されていることを利用者に知らせて利用者の注意を着信通知画像に向けさせることができる。したがって、利用者に対して情報の着信をより確実に通知できるという効果がある。
特に、請求項３の発明によれば、投影専用の着信通知画像の投影により、着信通知画像が外部投影面に投影されていることを利用者に知らせて利用者の注意を着信通知画像に向けさせることができる。したがって、利用者に対して情報の着信をより確実に通知できるという効果がある。
特に、請求項４の発明によれば、情報の受信の待ち状態における画像投影手段による無駄な電力消費を防止することができるという効果がある。